(57)【特許請求の範囲】
【請求項１】
リール本体に対して前後移動自在なスピニングリールのスプールであって、
糸巻胴部を有する筒状のスプール本体と、
前記糸巻胴部の前端に別体で装着され、前記糸巻胴部の外径より大きい外径を有する環状のフランジ部と、
前記フランジ部の前方側の面に別体で取り付けられたカラー部材と、
前記フランジ部に前記カラー部材を固定するための固定手段とを備え、
前記糸巻胴部は、筒状部と、前記筒状部の内周側に円周方向に間隔を隔てて形成された厚肉部とを有し、
前記フランジ部は、前記厚肉部の前部にビスにより固定されており、
前記カラー部材の後部には、前記カラー部材を前記フランジ部に装着したとき、前記ビスの頭部が収納可能な収納孔が設けられている、スピニングリールのスプール。
【請求項２】
前記固定手段は、前記フランジ部に形成されたネジ孔と、前記カラー部材に設けられた貫通孔と、前記貫通孔に挿入され前記ネジ孔に螺合するビスとを有している、請求項１に記載のスピニングリールのスプール。
【請求項３】
前記固定手段は、前記フランジ部の内周部に形成された切欠き部と、前記カラー部材側に突出して設けられ、前記切欠き部を挿通可能でかつ先端部に前記フランジ部に係止可能な係止部を有する突出部とを有している、請求項１に記載のスピニングリールのスプール。
【請求項４】
前記固定手段は、前記フランジ部の内周部に形成された係合孔と、前記カラー部材に設けられ弾性圧入により前記係合孔に係合可能な係合部とを有している、請求項１に記載のスピニングリールのスプール。
【発明の詳細な説明】
【０００１】
【発明の属する技術分野】
本発明は、スプール、特に、リール本体に対して前後移動自在なスピニングリールのスプールに関する。
【０００２】
【従来の技術】
スピニングリールのスプールは、釣り糸が巻かれる糸巻胴部を含むスプール本体と、スプール本体の前端に配置された大径のフランジ部と、フランジ部をスプール本体に固定するためのカラー部材とを有している。そしてドラグ機構付きのスピニングリールでは、糸巻胴部の内部にドラグ機構を収納するための空間が形成されている。
【０００３】
この種のスプールでは、フランジ部には円周方向に間隔をあけて貫通孔が形成されている。一方、スプール本体にはその内周側に突出して厚肉部が形成されており、この厚肉部に前記貫通孔と連通するネジ孔が設けられている。そして、フランジ部の貫通孔にビスを挿入し、スプール本体のネジ孔にビスを螺合することにより、フランジ部がスプール本体に固定されている。またフランジ部にはさらに別の貫通孔が形成されるとともに、スプール本体の他の厚肉部にはこれらの貫通孔に連通するようにネジ孔が設けられている。そして、カラー部材にはこれらの貫通孔及びネジ孔に対応する位置に貫通孔が形成されており、これらの貫通孔及びネジ孔を利用してビスにより、カラー部材がフランジ部を通してスプール本体に固定されている。
【０００４】
【発明が解決しようとする課題】
このようなスピニングリールのスプールでは、フランジ部及びカラー部材は、ビスによってスプール本体にそれぞれ直接固定されている。このためスプール本体側には前述したような多くの厚肉部を形成する必要がある。しかしスプール本体に厚肉部を形成すると、スプールの重量が増加し、リールの軽量化が妨げられる。
【０００５】
本発明の課題は、スピニングリールのスプールにおいて、スプール本体の軽量化を図ることにある。
【０００６】
【課題を解決するための手段】
発明１に係るスピニングリールのスプールは、リール本体に対して前後移動自在なスピニングリールのスプールであって、糸巻胴部を有する筒状のスプール本体と、糸巻胴部の前端に別体で装着され糸巻胴部の外径より大きい外径を有する環状のフランジ部と、フランジ部の前方側の面に別体で取り付けられたカラー部材と、フランジ部にカラー部材を固定するための固定手段とを備えている。糸巻胴部は、筒状部と、筒状部の内周側に円周方向に間隔を隔てて形成された厚肉部とを有している。フランジ部は、厚肉部の前部にビスにより固定されている。カラー部材の後部には、カラー部材をフランジ部に装着したとき、ビスの頭部が収納可能な収納孔が設けられている。
【０００７】
このスピニングリールのスプールでは、スプール本体にフランジ部が装着され、フランジ部にカラー部材が取り付けられている。ここではフランジ部にカラー部材が取り付けられているので、従来のようにカラー部材をスプール本体に取り付けるための厚肉部をスプール本体に設ける必要がなくなり、スプール本体の軽量化を図ることができる。さらに、この場合は、フランジ部は糸巻胴部にビスにより固定されているので、両部材の固定が容易になる。
【０００８】
発明２に係るスピニングリールのスプールは、発明１のスピニングリールのスプールにおいて、固定手段は、フランジ部に形成されたネジ孔と、カラー部材に設けられた貫通孔と、貫通孔に挿入されネジ孔に螺合するビスとを有している。この場合、容易にかつ確実に両部材を固定することができる。
【０００９】
発明３に係るスピニングリールのスプールは、発明１のスピニングリールのスプールにおいて、固定手段は、フランジ部の内周部に形成された切欠き部と、カラー部材側に突出して設けられ、切欠き部を挿通可能でかつ先端部にフランジ部に係止可能な係止部を有する突出部とを有している。
【００１０】
このようなスピニングリールのスプールでは、まずカラー部材の突出部をフランジ部の切欠き部に挿入する。そして、カラー部材をたとえば回転させることにより、突出部の係止部をフランジ部に係止して固定する。この場合は、たとえばバヨネット構造を有する回転押圧結合等によって、容易にかつ確実に両部材を固定することができる。
【００１１】
発明４に係るスピニングリールのスプールは、発明１のスピニングリールのスプールにおいて、固定手段は、フランジ部の内周部に形成された係合孔と、カラー部材に設けられ弾性圧入により係合孔に係合可能な係合部とを有している。
【００１２】
このようなスピニングリールのスプールでは、カラー部材の係合部をフランジ部の係合孔に挿入し、係合部をフランジ部に係合して固定している。この場合、さらに容易にかつ確実に両部材を固定することができる。
【００１３】
【発明の実施の形態】
本発明の一実施形態を採用したスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１４】
リール本体２は、リールボディ２ａと、リールボディ２ａから斜め上前方に延びる竿取付脚２ｂとを有している。リールボディ２ａは、図２に示すように内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１５】
ロータ駆動機構５は、ハンドル１が固定されたハンドル軸１０とともに回転するフェースギア１１と、このフェースギア１１に噛み合うピニオンギア１２とを有している。ピニオンギア１２は筒状に形成されており、その前部はロータ３の中心部を貫通しており、ナット１３によりロータ３と固定されている。ピニオンギア１２は、その軸方向の中間部と後端部とが、それぞれ軸受１４ａ、１４ｂを介してリール本体２に回転自在に支持されている。
【００１６】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、ピニオンギア１２に噛み合っている。
【００１７】
ロータ３は、図２に示すように、円筒部３０と、円筒部３０の側方に互いに対向して設けられた第１及び第２ロータアーム３１、３２とを有している。円筒部３０と両ロータアーム３１、３２とは、たとえばアルミニウム合金製であり、一体成形されている。
【００１８】
円筒部３０の前部には前壁３３が形成されており、前壁３３の中央部にはボス部３４が形成されている。ボス部３４の中心部には貫通孔が形成されており、この貫通孔をピニオンギア１２及びスプール軸１５が貫通している。前壁３３の前部にナット１３が配置されており、このナット１３の内部にスプール軸１５を回転自在に支持する軸受３５が配置されている。
【００１９】
第１ロータアーム３１は、円筒部３０から外方に凸に湾曲して前方に延びており、円筒部３０との接続部は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
【００２０】
第２ロータアーム３２は、円筒部３０から外方に凸に湾曲して前方に延びている。第２ロータアーム３２は、先端部から円筒部３０との接続部分に向けて２股に分岐しており、周方向に間隔を隔てた２箇所で円筒部３０に接続されている。第２ロータアーム３２の先端内周側には、第２ベール支持部材４２が揺動自在に装着されている。
【００２１】
ラインローラ４１と第２ベール支持部材４２との間には線材を略Ｕ状に湾曲させた形状のベール４３が固定されている。これらの第１及び第２ベール支持部材４０、４２、ラインローラ４１及びベール４３により釣り糸をスプール４に案内するベールアーム４４が構成される。ベールアーム４４は、図２に示す糸案内姿勢とそれから反転した糸開放姿勢（図示せず）との間で揺動自在である。
【００２２】
ロータ３の円筒部３０の内部にはロータ３の逆転を禁止・解除するための逆転防止機構５０が配置されている。逆転防止機構５０は、図２に示すように、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００２３】
スプール４は、ロータ３の第１ロータアーム３１と第２ロータアーム３２との間に配置されており、スプール軸１５の先端にドラグ機構６０を介して装着されている。スプール４は、スプール本体７と、スプール本体７の前端に装着された大径のフランジ部８と、フランジ部８の前方側に装着されたカラー部材９とを有している。
【００２４】
スプール本体７は、図３に拡大して示すように、外周に釣り糸が巻かれる筒状の糸巻胴部７ａと、糸巻胴部７ａの後部に一体で形成された大径筒状のスカート部７ｂとを有している。スプール本体７は、たとえばアルミニウム合金を鍛造成形して得られた大小２段の円筒状の部材であり、軸受５３によりスプール軸１５に回転自在に装着されている。
【００２５】
糸巻胴部７ａは、図３及び図４に示すように、筒状部１６と、筒状部１６の内周側に円周方向に間隔を隔てて４箇所に形成された厚肉部１７と、厚肉部１７の内周側に形成され内部空間にドラグ機構６０を収納可能なドラグ収納部１８とを有している。またスカート部７ｂは、図２に示すように、ロータ３の円筒部３０を覆うように筒状に糸巻胴部７ａと一体で鍛造形成されている。
【００２６】
筒状部１６の外周面は、スプール軸芯Ｘとほぼ平行でストレートな円周面１６ａと、円周面１６ａの両端から徐々に縮径する１対のテーパ面１６ｂとで構成されている。なお、前側のテーパ面１６ｂの先端には、全周にわたって外周側に突出する突起部が形成されている。円周面１６ａは、筒状部１６の軸方向の中央部に形成され、１対のテーパ面１６ｂは、その両側に同じ軸方向長さで形成されている。筒状部１６の周面には、たとえば断面が三角形状の多数の環状溝（図示せず）が軸方向に間隔を隔てて形成されている。
【００２７】
厚肉部１７は筒状部１６の内周側にそれぞれが対称となる位置に４箇所設けられている。これらの厚肉部１７の前方には、フランジ部８を固定するためのビス１９が螺合可能なネジ孔１７ａがそれぞれ１箇所ずつ計４箇所形成されている。
【００２８】
フランジ部８は、金属製又は硬質セラミック製の傷つきにくいリング状の部材であり、その外径はスプール本体７の糸巻胴部７ａの外径よりも大径となっている。フランジ部８は、図３及び図５に示すように、外周側が前方に傾斜するように屈曲した屈曲部８ａと、中央部にカラー部材９及びドラグ機構６０が挿入可能な孔部８ｂとを有している。この孔部８ｂの一部には、スプール本体７側のネジ孔１７ａと連通するように４つの切欠き部８ｃが形成されている。そして各切欠き部８ｃの間には、カラー部材９を固定するためのビス２０が螺合可能なネジ孔８ｄが４箇所形成されている。
【００２９】
カラー部材９は、図３及び図６に示すように、外周が前方に傾斜するように突出し、その後部が屈曲部８ａの前方側の面と密着するように形成された外縁部９ａを有する円板状の部材である。なおカラー部材９はドラグ機構６０のつまみ部６１(後述)とフランジ部８との間に釣り糸が侵入するのを防ぐためのものである。カラー部材９の中央部にはドラグ機構６０が装着される孔部９ｂを開口とする円筒部９ｃが軸方向後方に突出して形成されている。円筒部９ｃの外周面はフランジ部８の孔部８ｂ及びドラグ収納部１８に収納されるように装着されている。孔部９ｂの周囲には、ビス２０が挿入可能な貫通孔９ｄと、ビス２０の頭部を収納するための貫通孔９ｄより大径の収納孔９ｅとが、フランジ部８側のネジ孔８ｄと連通するようにそれぞれ４箇所ずつ形成されている。またカラー部材９をフランジ部８に装着したとき、ビス１９の頭部が収納可能な収納孔９ｆが、カラー部材９の後方に４箇所設けられている。
【００３０】
ドラグ機構６０は、スプール４とスプール軸１５との間に装着されスプール４にドラグ力を作用させるための機構である。ドラグ機構６０は、図３に示すように、ドラグ力を手で調整するためのつまみ部６１と、つまみ部６１によりスプール４側に押圧される複数枚のドラグ板６２ａ、６２ｂ及び６２ｃを含む摩擦部６２とを有している。つまみ部６１は、発音機構６１ａとスプール軸１５に螺合するナット６１ｂとを内部に有している。ドラグ板６２ａは、スプール軸１５に回転不能に係止され、つまみ部６１に接触する金属製の円板部材である。ドラグ板６２ｂは、たとえば、フェルト製の円板部材である。ドラグ６２ｃは、スプール軸１５に回転不能に係止された金属製の円板部材であり、その後端部にドラグが作動してスプール軸１５とスプール４とが相対回転すると発音する発音機構（図示せず）が装着されている。
【００３１】
次にリールの操作及び動作を簡単に説明する。
【００３２】
キャスティング時にはベールアーム４４を糸開放姿勢に反転させる。これにより第１ベール支持部材４０及び第２ベール支持部材４２は揺動する。この状態で釣竿を握る手の人差し指で釣り糸を引っかけながら釣竿をキャスティングする。すると釣り糸は仕掛けの重さにより勢いよく放出される。仕掛けが着水した後ハンドル１を糸巻取方向に回転させると、ロータ駆動機構５によりロータ３が糸巻取方向に回転し、ベールアーム４４がベール反転機構（図示せず）により糸巻取位置に復帰しロータ３の逆転が禁止されているので釣り糸の放出が止まる。
【００３３】
釣り糸を巻き取る際には、ハンドル１を糸巻取方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き付けられる。
【００３４】
このようなスピニングリールのスプール４では、スプール本体７にフランジ部８が装着され、フランジ部８にカラー部材９が装着されている。ここではフランジ部８にカラー部材９が取り付けられているので、カラー部材９をスプール本体７に取り付けるための厚肉部を別に設ける必要がなくなり、スプール本体７の軽量化を図ることができる。
【００３５】
〔他の実施形態〕
（ａ）  前記実施形態におけるフランジ部８とカラー部材９との固定手段はビス２０による結合であったが、図７から図９に示すように、バヨネット構造を有する回転押圧結合としてもよい。この場合、カラー部材９に設けられた突出部９ｇを、フランジ部８の孔部８ｂの一部に形成された切欠き部８ｅに挿入する。そしてカラー部材９を回転し、たとえばテーパ面を有する係止部９ｈをフランジ部８に係止することにより、フランジ部８にカラー部材９を固定することができる。
【００３６】
（ｂ）  フランジ部８とカラー部材９との固定手段は、図１０に示すように、フランジ部８の孔部８ｂにカラー部材９に設けられた係合部９ｉを弾性圧入係合してもよい。
【００３７】
（ｃ）  フランジ部８及びカラー部材９は、図１１に示すように、フランジ部８の屈曲部８ａの端面とカラー部材９の外縁部９ａの外周面が当接するように形成してもよい。この場合、エッジ合わせをなくすことにより、屈曲部８ａと外縁部９ａとの接合面をきれいに見せることができる。
【００３８】
【発明の効果】
本発明によれば、スピニングリールのスプールにおいて、スプール本体にはフランジ部が装着され、フランジ部にはカラー部材が取り付けられている。したがってスプール本体にはカラー部材を取り付けるための厚肉部を設ける必要がなくなり、スプール本体の軽量化を図ることができる。
【図面の簡単な説明】
【図１】  本発明の一実施形態によるスピニングリールの右側面図。
【図２】  前記スピニングリールの左側面断面図。
【図３】  前記スピニングリールのスプール部分の拡大断面図。
【図４】  前記スプールのスプール本体部の正面図。
【図５】  前記スプールのフランジ部の正面図。
【図６】  前記スプールのカラー部材の正面図。
【図７】  他の実施形態のスプール部分の拡大断面図。
【図８】  他の実施形態のフランジ部の背面図。
【図９】  他の実施形態のカラー部材の背面図。
【図１０】  さらに他の実施形態のスプール部分の拡大断面図。
【図１１】  さらに他の実施形態のスプール部分の拡大断面図。
【符号の説明】
２  リール本体
４  スプール
７  スプール本体
７ａ  糸巻胴部
７ｂ  スカート部
８  フランジ部
９  カラー部材
１６  筒状部
１７  厚肉部
１８  ドラグ収納部
１９、２０  ビス
【図１】
0004233166.tif 000002
【図２】
0004233166.tif 000003
【図３】
0004233166.tif 000004
【図４】
0004233166.tif 000005
【図５】
0004233166.tif 000006
【図６】
0004233166.tif 000007
【図７】
0004233166.tif 000008
【図８】
0004233166.tif 000009
【図９】
0004233166.tif 000010
【図１０】
0004233166.tif 000011
【図１１】
0004233166.tif 000012